(57)【要約】【課題】ジグソーピースを剥がすと下から図版が現れるようにした台紙付き粘着ジグソーパズルを低コストで製造する。【解決手段】ロール状に巻いた帯状の台紙３を印刷機に掛け、同一画像９（カレンダー、絵、文面など）を縦に並べて印刷すると共に、その台紙の縁に各画面の位置を表す目印１１を同時に印刷する。こうして印刷した台紙を再びロール状に巻き取る前に、台紙３の表面に、透明の粘着セパレータ紙２を介して粘着ラベル紙１を貼り付ける。台紙の縁に印刷した目印１１が隠れないように、粘着ラベル紙は台紙より幅を狭くする。こうして３層に張り合わせたロール状の用紙を再び印刷機に掛け、台紙に付した目印を光センサー１９で読み取ることで、粘着ラベル紙の下に隠れている台紙の画像９の位置を検知し、各画像の真上に来るようにラベル用紙にジグソーパズルを印刷する。【選択図】図３
2005065957.tif 000002
【特許請求の範囲】
【請求項１】
上から順に粘着ラベル紙、透明な粘着セパレータ紙および台紙を重ねたシートからなり、該粘着ラベル紙は裏に粘着剤が塗布してあって該セパレータ紙の上に貼付してあり、該セパレータの裏面にも粘着剤が塗布してあって該台紙の上に貼付してあり、該粘着ラベル紙には、嵌め絵を構成する複数のピースが印刷されていて、各エレメンの周囲は打ち抜き加工してあり、さらに該粘着ラベル紙には該セパレータから剥がした該ピースを貼り付けて嵌め絵を作るための貼付枠を設けてあり、該台紙には、該ジグソーピースを剥がしたときに現れるように画像が印刷されている嵌め絵粘着ラベルを製造する方法であって、帯状の台紙に同一画像を長手方向に並べて印刷すると共に、該台紙の縁に各画面の位置を表す目印を印刷し、印刷が終わったこの台紙表面に、透明の粘着セパレータ紙を介して、該台紙より幅が狭い帯状の粘着ラベル紙を貼り付け、次いで、該台紙に印刷した目印をセンサーで読み取りながら、粘着ラベル紙の下に隠れている台紙の画像の真上に来るように該粘着ラベル紙にジグソーパズルを印刷し、その後にジグソーピースを抜き打ち加工し、カード状に裁断することを特徴とする台紙付き粘着ジグソーパズルの製造法。
【発明の詳細な説明】
【技術分野】
【０００１】
本発明は、粘着ラベルを使ったジグソーパズルであって、ジグソーピースを剥がすと、それまで隠れていた図版が現れるようにしたものの製造方法に関する。
【背景技術】
【０００２】
粘着ラベル式のジグソーパズルは従来知られている（例えば、実用新案登録第３０７５８００号公報参照）。これは、粘着ラベルに複数のジグソーピースとその貼付スペースが印刷されており、各ピースの周囲は打ち抜き加工してあり、ピースを一つずつ剥離紙から剥がして、貼付スペースの対応位置に貼っていくと一つのまとまりのある嵌め絵ができ上がるというものである。
【０００３】
粘着式ジグソーパズルを、カレンダーやイラストなどを印刷した台紙の上に貼り付けて、付加価値を高めたものも知られている（実用新案登録第３０８７３１２号公報参照）。このものは、ジグソーピースを剥がすに従って、下からカレンダーやイラストが徐々に現れ、いっそう興味深い。
【０００４】
このような、台紙付き粘着ジグソーパズルを製造するには、従来は粘着ジグソーパズルと台紙をロール紙に別々に印刷し、それらをシート状に裁断してから手作業で貼り合わせいた。しかしこれでは手間がかかってコストが高くついた。
【発明の開示】
【発明が解決しようとする課題】
【０００５】
この発明は、ジグソーピースを剥がすと下から図版が現れるようにした台紙付き粘着ジグソーパズルを低コストで製造することを課題とする。
【課題を解決するための手段】
【０００６】
この発明による台紙付き粘着ジグソーパズルの製造法は、まず、ロール状に巻いた帯状の台紙を印刷機に掛け、同一画像（カレンダー、絵、文面など）を台紙の長手方向に並べて印刷すると共に、その台紙の縁に各画面の位置を表す目印を印刷する。こうして印刷した台紙を再びロール状に巻き取る前に、印刷機の下流側において、台紙の表面に、透明な粘着セパレータ紙を間に置いて、帯状の粘着ラベル紙を貼り付ける。台紙の縁に印刷した目印が隠れないように、粘着ラベル紙は台紙より幅を狭くする。
【０００７】
こうして３層に張り合わせたロール状の用紙を再び印刷機に掛け、台紙に付けた目印をセンサーで読み取ることで、粘着ラベル紙の下に隠れている台紙の画像の位置を検知しながら、各画像の真上のラベル紙にジグソーピースを印刷する。最後に、ジグソーピースを抜き打ち加工すると共にカード状に裁断する。
【発明の効果】
【０００８】
この発明によれば、台紙の縁に印刷した目印をセンサーで検知することにより、ラベル紙に印刷するジグソーパズルを、ラベル紙の下に隠れている台紙の画像の真上に印刷することが可能になり、従来のように各々印刷を済ませた台紙と粘着ラベル紙を手貼りする手間が省け、製造コストを低減することができる。
【発明を実施するための最良の形態】
【０００９】
図１は台紙付き粘着ジグソーパズルを示したものであり、上から順に粘着ラベル紙１、透明な粘着セパレータ紙２そして台紙３からなる。粘着ラベル紙１は裏に粘着剤１ａが塗布してあって、その粘着面をセパレータ２に貼付してある。セパレータ紙２の裏面にも粘着剤２ａが塗布してあって、その粘着面を台紙３に貼ってある。粘着ラベル紙１は、嵌め絵を構成する複数のジグソーピース５が印刷されていて、各ピースは簡単に剥がせるよう周囲が打ち抜き加工してある。さらに粘着ラベル紙１の上部には、剥がしたピース７を貼り付けて嵌め絵を作るための貼付枠６を印刷してある。粘着ラベル紙１には、貼付枠６の下側に打ち抜きで切れ目１ｂが入れてある。台紙３には予め図版が印刷してあり、図版は粘着ラベル紙１の下に隠れている。
【００１０】
このパズルで遊ぶには、図１に示すように示すように、ピース７を一つずつ剥がして、貼付枠６の対応する個所（ピースと同形の個所）に貼り付けていく。全部のピースを貼り終えたら、図２に示すように、残った格子部分７を取り去る。こうすると、セパレータ紙２は透明なので、それまで隠れていた台紙の図版（カレンダー）９が現れる。
【００１１】
次にこの台紙付き粘着ジグソーパズルの作り方を説明すると、図３の（ａ）に示すように、ラベル印刷機１０にロール状に巻かれた帯状の台紙３をセットし、それから引き出された紙面上に同一画像（カレンダー９）を長さ方向に並べて印刷すると共に、紙面の縁に各画像の位置を表す目印の線１１を印刷する。
【００１２】
こうして印刷された台紙は、印刷機の下流側においてロール状に巻き取られるが、その直前に粘着ラベル紙が張り合わされる。その張り合わせを行う部分を拡大して示したのが図４であり、符号１２はラベル印刷機の上に支持された複合ラベル紙の原反である。この複合ラベル紙１２は、下面に粘着剤を塗布したラベル紙１、同じく下面に粘着剤を塗布した透明のセパレータ紙２、そして剥離紙１３の順序で張り合わされている。原反から引き出された複合ラベル紙１２は、剥離紙１３だけがローラ１５を経由して剥がされ、モータで回転する巻き芯１６に巻き取られる。剥離紙１３が除かれて粘着面が露出したセパレータ紙２と粘着ラベル紙１は、上下一対のローラ１７で台紙３に張り合わされる。なお、台紙３は複合ラベル紙１２に比べて幅が広く、台紙の縁に印刷した目印１１が粘着ラベル紙で隠れないようになっている（図５参照）。
【００１３】
こうして、台紙３と粘着ラベル紙１が張り合わされて巻き取られたロールは、図３の（ｂ）に示すように、再びラベル印刷機１０の上流側にセットし、粘着ラベル紙１にジグソーパズルのピース５と貼付枠６を印刷する。このとき、ピース５と貼付枠６は、台紙に印刷した各カレンダー９の真上に印刷しなければならないが、カレンダーは粘着ラベル紙１の下になっていて見えない。そこで、印刷機に光電管等の光センサー１９を設置し、これで、台紙３の縁に向けて照射した光の反射光を捉えるようにし、その反射光の強さから目印（位置マーカー）１１の位置を検知する。印刷機は光センサー１９からの位置信号を得て、台紙に印刷した各カレンダー９の真上に来るように粘着ラベル紙１上にジグソーパズル５、６を次々と印刷していく。印刷が終わったあと、抜き型２０をラベル紙１に押し当ててジグソーピース５を抜くと共に、切れ目１ｂを入れる。その後、図示しないカッターでカード幅に切断する。最後に、図５左端に示すように、上下の耳２１を切り落としてでき上がりである。
【図面の簡単な説明】
【００１４】
【図１】台紙付き粘着ジグソーパズルの説明図である。
【図２】嵌め絵ができ上がった状態の台紙付き粘着ジグソーパズルの説明図である。
【図３】台紙付き粘着ジグソーパズルの製造方法を示す説明図である。
【図４】台紙に粘着ラベル紙を貼る状態を示す説明図である。
【図５】印刷中の用紙の平面図である。
【符号の説明】
【００１５】
１    粘着ラベル紙
２    セパレータ紙
３    台紙
５    ジグソーピース
６    貼付枠
９    カレンダー
１０  ラベル印刷機
１１  目印
１９  光センサー
【図３】
2005065957.tif 000003
【図４】
2005065957.tif 000004
【図５】
2005065957.tif 000005
【図１】
2005065957.tif 000006
【図２】
2005065957.tif 000007